(57)【要約】【課題】インパルス音の発生を抑制させた画像形成装置を提供する。【解決手段】画像形成装置１は、用紙Ｐを搬送するロール１１，１２，１３，１５，１６，１８，１９と、クラッチと、制御部とを備えている。制御部は、フィードロール１５，１６の回転速度がピックアップロール１１、捌きロール１２，１３、及びレジロール１８，１９の回転速度よりも速くなるようにクラッチを制御する。そして、ロール１１，１２，１３，１５，１６，１８，１９に用紙Ｐを挟ませた状態で回転を停止させた後に、ピックアップロール１１及び捌きロール１２，１３を先に駆動させ、ピックアップロール１１及び捌きロール１２，１３の下流側の用紙Ｐに弛みが生じた後に、フィードロール１５，１６及びレジロール１８，１９を駆動させる。【選択図】図２
2014114133.tif 000002
【特許請求の範囲】
【請求項１】
用紙を搬送する第１ロールと、
前記用紙の搬送経路における前記第１ロールの下流側に設けられ、前記第１ロールによって搬送された用紙を搬送する第２ロールと、
前記第１ロール及び前記第２ロールにそれぞれ設けられ、前記第１ロール及び前記第２ロールを回転させる回転力伝達部と、
前記回転力伝達部を制御することにより前記第１ロール及び前記第２ロールの回転を制御する制御部と、を備え、
前記制御部は、前記第２ロールの回転速度が前記第１ロールの回転速度よりも速くなるように前記回転力伝達部を制御し、前記第１及び第２ロールに用紙を挟み込ませた状態で前記第１及び第２ロールの回転を停止させた後に、前記第１ロールを先に駆動させ、前記第１ロールの下流側で用紙に弛みが生じた後に前記第２ロールを駆動させる画像形成装置。
【請求項２】
前記制御部は、前記第２ロールを駆動させた後に、前記第１ロールの駆動を停止させ、前記第２ロールによる用紙の搬送に伴って前記第１ロールが従動するように前記回転力伝達部を制御する請求項１に記載の画像形成装置。
【請求項３】
前記用紙の搬送経路における前記第２ロールの下流側に設けられ、前記第２ロールによって搬送された用紙を搬送する第３ロールをさらに備え、
前記制御部は、前記第３ロールの回転速度が前記第２ロールの回転速度よりも遅くなるように前記回転力伝達部を制御する請求項１又は２に記載の画像形成装置。
【発明の詳細な説明】
【技術分野】
【０００１】
本発明は、用紙を搬送するロールを複数備えた画像形成装置に関する。
【背景技術】
【０００２】
画像形成装置において、用紙を複数のロールで搬送する技術は、例えば特許文献１に記載されている。特許文献１の画像形成装置には、用紙を格納する給紙トレイが４個設けられており、各給紙トレイの上部に用紙を搬送する捌きロールが設けられている。この捌きロールは、ピックアップロールと、フィードロールと、リタードロールと、を含んでいる。給紙トレイ内の用紙はピックアップロールによって取り出されるようになっており、この用紙はフィードロール及びリタードロールによって１枚ずつ分離されて、下流側に位置する搬送ロール及びレジロールに送り出される。レジロールに送り出された用紙は、転写領域に搬送される。
【０００３】
このように複数のロールで用紙を搬送する場合において、各ロールの回転速度は、最も上流側のロールが一番速く、下流側のロールほど遅くなっている。また、用紙を搬送するときのロールの動きについては、まず最も上流側の第１ロールが用紙を挟み込んで下流側に搬送し、このとき既に下流側の第２ロールは駆動した状態になっている。また、第１ロールによって搬送された用紙は第２ロールによって更に下流側に搬送され、第１ロールが連れ回り状態になった後、第１及び第２ロールは共に駆動を停止する。その後、再起動を行うことにより、第２ロールが駆動し、この駆動に伴って第１ロールが連れ回ることにより用紙が更に下流側に搬送される。
【先行技術文献】
【特許文献】
【０００４】
【特許文献１】特開２００４−２１０４６３号公報
【発明の概要】
【発明が解決しようとする課題】
【０００５】
しかしながら、前述したように再起動後に下流側の第２ロールを駆動させて上流側の第１ロールを連れ回り状態とする場合、用紙はニップ圧によって第１ロールに挟まれているので、用紙が引っ張られることとなる。このように、ニップ圧によって用紙が挟まれた状態で用紙が引っ張られると、用紙を止める位置エネルギーが音に変わるのでインパルス音が発生してしまうという問題がある。
【０００６】
本発明は、このような問題点に鑑みてなされたものであり、インパルス音の発生を抑制させた画像形成装置を提供することを目的とする。
【課題を解決するための手段】
【０００７】
本発明の画像形成装置は、用紙を搬送する第１ロールと、用紙の搬送経路における第１ロールの下流側に設けられ、第１ロールによって搬送された用紙を搬送する第２ロールと、第１ロール及び第２ロールにそれぞれ設けられ、第１ロール及び第２ロールを回転させる回転力伝達部と、回転力伝達部を制御することにより第１ロール及び第２ロールの回転を制御する制御部と、を備えている。制御部は、第２ロールの回転速度が第１ロールの回転速度よりも速くなるように回転力伝達部を制御し、第１及び第２ロールに用紙を挟み込ませた状態で第１及び第２ロールの回転を停止させた後に、第１ロールを先に駆動させ、第１ロールの下流側で用紙に弛みが生じた後に第２ロールを駆動させる。
【０００８】
この画像形成装置では、下流側の第２ロールの回転速度が上流側の第１ロールの回転速度よりも速くなっており、再起動時に最初に第１ロールを駆動させて用紙に弛みを生じさせた後に、第２ロールを駆動させる。よって、再起動後に第１ロールが先に駆動することにより、第１ロールの用紙を止める位置エネルギーが徐々に軽減されることとなる。そして、この状態で第２ロールが駆動を開始して、第１ロールによって動いている用紙を第２ロールによって加速させることとなるので、第２ロールによって弛みを徐々に小さくしながら用紙が搬送されることとなる。このように、用紙に弛みを生じさせた後に第２ロールを駆動させるので、用紙が引っ張られることが無くなりインパルス音の発生を抑制することができる。
【０００９】
また、制御部は、第２ロールを駆動させた後に、第１ロールの駆動を停止させ、第２ロールによる用紙の搬送に伴って第１ロールが従動するように回転力伝達部を制御してもよい。この場合、再起動を行って第２ロールを駆動させた後に第１ロールが連れ回りし、第１ロールより速い第２ロールで用紙を搬送させることとなる。従って、第２ロールによって弛みが徐々に小さくなると共に第２ロールでスムーズに用紙の搬送を行うことができる。
【００１０】
また、用紙の搬送経路における第２ロールの下流側に設けられ、第２ロールによって搬送された用紙を搬送する第３ロールをさらに備え、制御部は、第３ロールの回転速度が第２ロールの回転速度よりも遅くなるように回転力伝達部を制御してもよい。このように、第３ロールを備える場合においても、再起動時には第１ロールを先に駆動させて用紙に弛みを生じさせるので、上記同様インパルス音の発生を抑制することができる。
【発明の効果】
【００１１】
本発明によれば、インパルス音の発生を抑制することができる。
【図面の簡単な説明】
【００１２】
【図１】本発明の一実施形態に係る画像形成装置の概略構成図である。
【図２】図１の画像形成装置の記録媒体搬送ユニットを示す概略構成図である。
【図３】図１の画像形成装置のロールの制御を示すブロック図である。
【図４】各ロールへの駆動信号を示すタイミングチャートである。
【図５】図１の画像形成装置のロールを示す概略構成図である。
【図６】インパルス音の測定データを示すグラフである。
【図７】別の実施形態に係る画像形成装置のロールを示す概略構成図である。
【発明を実施するための形態】
【００１３】
以下、本発明の好適な実施形態について図面を参照しながら説明する。
【００１４】
画像形成装置１は、マゼンダ、イエロー、シアン、ブラックの各色を用いてカラー画像を形成する装置である。図１に示されるように、画像形成装置１は、用紙Ｐを搬送する記録媒体搬送ユニット１０と、トナー像を形成する現像ローラ２１を備えた現像ユニット２０と、トナー像を用紙Ｐに二次転写する転写ユニット３０と、周面に画像が形成される静電潜像担持体である感光体ドラム４０と、トナー像を用紙Ｐに付着させる定着ユニット５０と、を備えている。
【００１５】
記録媒体搬送ユニット１０は、画像が形成される記録媒体としての用紙Ｐを収容すると共に、用紙Ｐを搬送経路Ｒ１上に搬送する。用紙Ｐは、カセットＣに積層されて収容される。記録媒体搬送ユニット１０は、用紙Ｐに転写されるトナー像が二次転写領域Ｒ２に到達するタイミングで、用紙Ｐを搬送経路Ｒ１を介して二次転写領域Ｒ２に到達させる。
【００１６】
転写ユニット３０は、現像ユニット２０により形成されたトナー像を用紙Ｐに二次転写する二次転写領域Ｒ２に搬送する。転写ユニット３０は、転写ベルト３１と、転写ベルト３１を懸架する懸架ローラ３１ａ，３１ｂ，３１ｃ及び３１ｄと、感光体ドラム４０と共に転写ベルト３１を挟持する一次転写ローラ３２と、懸架ローラ３１ｄと共に転写ベルト３１を挟持する二次転写ローラ３３と、を備えている。
【００１７】
転写ベルト３１は、懸架ローラ３１ａ，３１ｂ，３１ｃ及び３１ｄにより循環移動する無端状のベルトである。一次転写ローラ３２は、転写ベルト３１の内周側から感光体ドラム４０を押圧するように設けられる。一方、二次転写ローラ３３は、転写ベルト３１の外周側から懸架ローラ３１ｄを押圧するように設けられる。
【００１８】
感光体ドラム４０は４個設けられており、それぞれの感光体ドラム４０は転写ベルト３１の移動方向に沿って設けられている。また、感光体ドラム４０の周上には、現像ユニット２０と、帯電ローラ４１と、露光ユニット４２と、クリーニングユニット４３と、が設けられている。
【００１９】
帯電ローラ４１は、感光体ドラム４０の表面を所定の電位に均一に帯電させる。露光ユニット４２は、帯電ローラ４１により帯電した感光体ドラム４０の表面を、用紙Ｐに形成する画像に応じて露光する。これにより、感光体ドラム４０の表面のうち露光ユニット４２により露光された部分の電位が変化し、静電潜像が形成される。４個の現像ユニット２０は、それぞれの現像ユニット２０に対応して設けられたトナータンク２２から供給されたトナーによって感光体ドラム４０に形成された静電潜像を現像し、トナー像を生成する。４個のトナータンク２２内には、それぞれ、マゼンダ、イエロー、シアン、及びブラックのトナーが充填されている。クリーニングユニット４３は、感光体ドラム４０上に形成されたトナー像が転写ベルト３１に一次転写された後に感光体ドラム４０上に残存するトナーを回収する。
【００２０】
定着ユニット５０は、転写ベルト３１から用紙Ｐへ二次転写されたトナー像を用紙Ｐに付着させ、定着させる。定着ユニット５０は、用紙Ｐを加熱する加熱ローラ５１と、加熱ローラ５１を押圧する加圧ローラ５２と、を備えている。加熱ローラ５１及び加圧ローラ５２は円筒状に形成されており、加熱ローラ５１は内部にハロゲンランプ等の熱源を備えている。加熱ローラ５１と加圧ローラ５２との間には接触領域である定着ニップ部が設けられ、定着ニップ部に用紙Ｐを通過させることにより、トナー像を用紙Ｐに溶融定着させる。
【００２１】
また、画像形成装置１には、定着ユニット５０によりトナー像が定着された用紙Ｐを装置外部へ排出するための排出ローラ６１及び６２が設けられている。
【００２２】
次に、画像形成装置１の動作について説明する。画像形成装置１に被記録画像の画像信号が入力されると、画像形成装置１の制御部は、受信した画像信号に基づいて、帯電ローラ４１により感光体ドラム４０の表面を所定の電位に均一に帯電させる。その後、露光ユニット４２により感光体ドラム４０の表面にレーザ光を照射して静電潜像を形成する。
【００２３】
一方、現像ユニット２０では、トナーとキャリアとを混合撹拌して十分に帯電させた後、トナーとキャリアとを混合することで生成される現像剤を現像ローラ２１に担持させる。そして、現像ローラ２１の回転により現像剤が感光体ドラム４０と対向する領域まで搬送されると、現像ローラ２１に担持された現像剤のうちのトナーが感光体ドラム４０の周面上に形成された静電潜像に移動し、静電潜像が現像される。こうして形成されたトナー像は、感光体ドラム４０と転写ベルト３１とが対向する領域において、感光体ドラム４０から転写ベルト３１へ一次転写される。転写ベルト３１には、４個の感光体ドラム４０上に形成されたトナー像が順次積層されて、１つの積層トナー像が形成される。そして、積層トナー像は、懸架ローラ３１ｄと二次転写ローラ３３とが対向する二次転写領域Ｒ２において、記録媒体搬送ユニット１０から搬送された用紙Ｐに二次転写される。
【００２４】
積層トナー像が二次転写された用紙Ｐは、定着ユニット５０へ搬送される。用紙Ｐを加熱ローラ５１と加圧ローラ５２との間で熱及び圧力を加えながら通過させることにより、積層トナー像を用紙Ｐへ溶融定着させる。その後、用紙Ｐは、排出ローラ６１及び６２により画像形成装置１の外部へ排出される。
【００２５】
図２に示されるように、記録媒体搬送ユニット１０は、ピックアップロール１１と、捌きロール（第１ロール）１２，１３と、第１ガイド部材１４と、フィードロール（第２ロール）１５，１６と、第２ガイド部材１７と、レジロール（第３ロール）１８，１９と、を備えている。カセットＣから取り出された用紙Ｐは、ピックアップロール１１、捌きロール１２，１３、第１ガイド部材１４、フィードロール１５，１６、第２ガイド部材１７、及びレジロール１８，１９によって構成される搬送経路Ｒ１を通って、二次転写領域Ｒ２に搬送される。
【００２６】
ピックアップロール１１は、搬送経路Ｒ１の最も上流側に設けられた円筒状のロールであり、ピックアップロール１１の外周のニップ点Ｐ０に用紙Ｐが接触されることにより、カセットＣからの用紙Ｐを捌きロール１２，１３に搬送する。
【００２７】
捌きロール１２，１３は、それぞれ円筒状に形成されており、搬送経路Ｒ１におけるピックアップロール１１の下流側に設けられている。捌きロール１２，１３は、ピックアップロール１１からの用紙Ｐをロール間のニップ点Ｐ１に挟み込み、この状態で回転することにより用紙Ｐを下流側の第１ガイド部材１４に向かって搬送する。また、ピックアップロール１１及び捌きロール１２，１３は、互いに同期回転するようになっている。
【００２８】
第１ガイド部材１４は、捌きロール１２，１３の下流側から上方に湾曲してフィードロール１５，１６の上流側にまで延在している。捌きロール１２，１３によって搬送された用紙Ｐは、第１ガイド部材１４に接触し、第１ガイド部材１４によって上方に誘導されてフィードロール１５，１６に向かって搬送される。
【００２９】
フィードロール１５，１６は、円筒状に形成されており、捌きロール１２，１３から第１ガイド部材１４を介して搬送されてきた用紙Ｐを更に下流側に搬送する。フィードロール１５，１６は、捌きロール１２，１３と同様、用紙Ｐをロール間のニップ点Ｐ２に挟み込み、この状態で回転することにより用紙Ｐを第２ガイド部材１７に向かって搬送する。
【００３０】
第２ガイド部材１７は、フィードロール１５，１６とレジロール１８，１９との間に介在し、フィードロール１５，１６の下流側から上方に向かって延在している。フィードロール１５，１６によって搬送された用紙Ｐは、第２ガイド部材１７に接触しながら誘導されて上方に搬送される。第２ガイド部材１７の更に上方には、レジロール１８，１９が設けられている。
【００３１】
レジロール１８，１９は、円筒状に形成されており、フィードロール１５，１６から第２ガイド部材１７を介して搬送されてきた用紙Ｐを二次転写領域Ｒ２に搬送する。レジロール１８，１９は、捌きロール１２，１３と同様、用紙Ｐをロール間のニップ点Ｐ３に挟み込み、この状態で回転して用紙Ｐを二次転写領域Ｒ２に向かって搬送する。
【００３２】
図３に示されるように、画像形成装置１には、捌きロール１２，１３、フィードロール１５，１６、及びレジロール１８，１９を回転させる回転機構７０が設けられている。回転機構７０は、モータ７１と、第１クラッチ７２と、第２クラッチ７３と、第３クラッチ７４と、制御部７５と、を備えている。
【００３３】
モータ７１は、捌きロール１２，１３、フィードロール１５，１６、及びレジロール１８，１９を回転させるための回転力を出力する。第１クラッチ７２は、モータ７１によって出力された回転力をピックアップロール１１及び捌きロール１２，１３に伝達し、これによってピックアップロール１１及び捌きロール１２，１３を回転させる。また、第２クラッチ７３は、モータ７１からの回転力をフィードロール１５，１６に伝達し、第３クラッチ７４は、モータ７１からの回転力をレジロール１８，１９に伝達する。これによって、フィードロール１５，１６及びレジロール１８，１９は、それぞれ回転する。なお、第１〜第３クラッチ７２〜７４としては、例えばワンウェイクラッチを用いることができる。
【００３４】
制御部７５は、モータ７１と、第１〜第３クラッチ（回転力伝達部）７２，７３，７４と、を制御するコントローラである。制御部７５は、第１〜第３クラッチ７２，７３，７４のそれぞれに、ピックアップロール１１、捌きロール１２，１３、フィードロール１５，１６、及びレジロール１８，１９の回転速度を制御するための制御信号を出力する。第１〜第３クラッチ７２〜７４は、制御部７５からの制御信号を受けると、各ロール１１，１２，１３，１５，１６，１８，１９が制御信号に応じた回転速度になるように、各ロール１１，１２，１３，１５，１６，１８，１９に伝達する回転力を調整する。
【００３５】
また、制御部７５は、フィードロール１５，１６の回転速度Ｖｂが、捌きロール１２，１３の回転速度Ｖｃ、並びにレジロール１８，１９の回転速度Ｖａよりも速くなるように第１〜第３クラッチ７２〜７４を制御する。そして、画像形成装置１が起動を開始した後には、各ロール１１，１２，１３，１５，１６，１８，１９に用紙Ｐを挟み込ませた後に各ロール１１，１２，１３，１５，１６，１８，１９の回転を停止させる。その後、ピックアップロール１１及び捌きロール１２，１３を最初に駆動させ、捌きロール１２，１３の下流側で用紙Ｐに弛みが生じ、用紙Ｐが第１ガイド部材１４に接触した後にフィードロール１５，１６及びレジロール１８，１９を駆動させる。
【００３６】
具体的には、図４に示されるように、画像形成装置１が起動を開始してから、フィードロール１５，１６が最初に駆動する。時刻ｔ１でピックアップロール１１及び捌きロール１２，１３が駆動し、この状態で用紙Ｐが捌きロール１２，１３に挟み込まれる。時刻ｔ２でピックアップロール１１及び捌きロール１２，１３は駆動を停止し、フィードロール１５，１６は駆動を続けた状態となるので、ピックアップロール１１及び捌きロール１２，１３は連れ回り状態となる。時刻ｔ３で用紙Ｐがレジロール１８，１９にまで到達した後には、全てのロール１１，１２，１３，１５，１６，１８，１９が駆動を停止する。その後、再起動を行って、時刻ｔ４で先にピックアップロール１１及び捌きロール１２，１３のみが駆動を開始して用紙Ｐに弛みを生じさせる。時刻ｔ５になるとフィードロール１５，１６及びレジロール１８，１９が駆動を開始して用紙Ｐが二次転写領域Ｒ２に搬送されていく。そして、ピックアップロール１１及び捌きロール１２，１３は、時刻ｔ６で駆動を停止して連れ回り状態となる。
【００３７】
このように、画像形成装置１では、フィードロール１５，１６の回転速度Ｖｂが上流側の捌きロール１２，１３の回転速度Ｖｃよりも速くなっており、再起動時に最初にピックアップロール１１及び捌きロール１２，１３を駆動させて用紙Ｐに弛みを生じさせた後に、フィードロール１５，１６を駆動させる。このように、再起動後にピックアップロール１１及び捌きロール１２，１３が先に駆動することにより、捌きロール１２，１３の用紙Ｐを止める位置エネルギーが徐々に軽減されることとなる。そして、この状態でフィードロール１５，１６が駆動を開始して、ピックアップロール１１及び捌きロール１２，１３によって動いている用紙Ｐをフィードロール１５，１６が加速させることとなる。従って、フィードロール１５，１６によって弛みを徐々に小さくしながら用紙Ｐが搬送されることとなる。このように、用紙Ｐに弛みを生じさせた後にフィードロール１５，１６を駆動させるので、用紙Ｐが引っ張られることが無くインパルス音の発生を抑制することができる。
【００３８】
また、制御部７５は、フィードロール１５，１６を駆動させた後に、ピックアップロール１１及び捌きロール１２，１３の駆動を停止させピックアップロール１１及び捌きロール１２，１３が従動するように第１，第２クラッチ７２，７３を制御している。よって、再起動を行ってフィードロール１５，１６を駆動させた後にピックアップロール１１及び捌きロール１２，１３を連れ回りさせ、ピックアップロール１１や捌きロール１２，１３より速いフィードロール１５，１６で用紙Ｐを搬送させることとなる。従って、フィードロール１５，１６によって徐々に弛みが小さくなると共にフィードロール１５，１６によってスムーズに用紙Ｐの搬送を行うことができる。
【００３９】
更に、画像形成装置１では、回転機構７０のモータ７１が１個設けられ、このモータ７１で各ロール１１，１２，１３，１５，１６，１８，１９の回転力を出力している。このように１個のモータ７１のみで回転力を出力させているので、制御構成が簡易となると共に、コストを低減させ、更に、省エネルギー効果が得られる。
【００４０】
ところで、ピックアップロール１１及び捌きロール１２，１３が再起動後に駆動してから、フィードロール１５，１６及びレジロール１８，１９が駆動するまでの時間（時刻ｔ５と時刻ｔ４との差）をＴ１（ｓ）とすると、捌きロール１２，１３とフィードロール１５，１６との間に形成される用紙Ｐの撓み量Ｘαは、
Ｘα＝Ｖｃ×Ｔ１  （Ｖｃ：捌きロール１２，１３の回転速度）
となる。
【００４１】
また、ピックアップロール１１及び捌きロール１２，１３が再起動してから連れ回り状態になるまでの時間（時刻ｔ６と時刻ｔ４との差）をＴ２（ｓ）とすると、ピックアップロール１１及び捌きロール１２，１３が再起動後に用紙Ｐを搬送する距離Ｘβは、
Ｘβ＝Ｖｃ×Ｔ２
となる。
【００４２】
よって、インパルス音を低減させる効果を好適に発揮させる条件としては、Ｖａをレジロール１８，１９の回転速度、Ｖｂをフィードロール１５，１６の回転速度、Ｘｄ１を用紙Ｐの先端がレジロール１８，１９に挟み込まれた状態でのニップ点Ｐ０から用紙Ｐの後端までの距離、Ｘｄ２をピックアップロール１１が再起動してから停止したときのニップ点Ｐ０から用紙Ｐの後端までの距離、とすると下記の各式を満足することが好ましい。
Ｖａ≦Ｖｂ
Ｖｂ＞Ｖｃ
Ｖｄ×Ｔ２＞Ｘα  （Ｖｄ＝Ｖｂ−Ｖｃ）
Ｘｄ１＞Ｘβ
Ｘｄ２＞０
また、図５に示されるように、Ｘａをニップ点Ｐ３からニップ点Ｐ２までの距離、Ｘｂをニップ点Ｐ２からニップ点Ｐ１までの距離、とすると、用紙Ｐの長さがＸａ＋Ｘｂよりも長いことが好ましい。
【００４３】
具体的には、例えば、Ｘａ＝１０３．８（ｍｍ）、Ｘｂ＝５３．８（ｍｍ）、Ｘｃ＝３２．５（ｍｍ）、Ｖａ＝３０８．０４（ｍｍ／ｓ）、Ｖｂ＝３１０．０８（ｍｍ／ｓ）、Ｖｃ＝２８９．４１（ｍｍ／ｓ）、Ｖｄ＝２０．６７（ｍｍ／ｓ）、Ｔ１＝０．０１６（ｓ）、Ｘα＝４．６３（ｍｍ）、Ｔ２＝０．２６（ｓ）、Ｘβ＝７５．２（ｍｍ）、とすれば前述した式を全て満たすこととなる。
【００４４】
上記の条件では、図６の下側のグラフに示されるように、従来の画像形成装置と比較してインパルス音が抑制されていることがわかる。具体的には、従来の画像形成装置のインパルス音が５９ｄＢであったのに対し画像形成装置１のインパルス音が５６．９ｄＢとなっており約２ｄＢ低減され、半分程度の音量となっている。なお、図６のグラフについて、縦軸はインパルス音の大きさ、横軸は時間軸を表し、図６の上側のグラフが従来の画像形成装置のインパルス音測定データ、図６の下側のグラフが画像形成装置１のインパルス音測定データ、である。
【００４５】
以上、本発明の一実施形態について説明したが、本発明は、上記実施形態に限定されるものではない。上記のように、ピックアップロール１１、捌きロール１２，１３、フィードロール１５，１６、及びレジロール１８，１９の全てのロールを備えていなくてもよく、例えば図７に示されるようにフィードロール１５，１６が無くてもよい。この場合、レジロール１８，１９の回転速度Ｖａを捌きロール１２，１３の回転速度Ｖｃよりも速くして、再起動時に最初にピックアップロール１１及び捌きロール１２，１３を駆動させて用紙Ｐに弛みを生じさせた後にレジロール１８，１９を駆動させることにより、画像形成装置１と同様の効果が得られる。
【００４６】
更に、フィードロール１５，１６が無い場合は、ピックアップロール１１及び捌きロール１２，１３が再起動後に駆動してから、レジロール１８，１９が駆動するまでの時間をＴ１（ｓ）とすると、捌きロール１２，１３とレジロール１８，１９との間に形成される用紙Ｐの撓み量Ｘθは、
Ｘθ＝Ｖｃ×Ｔ１  （Ｖｃ：捌きロール１２，１３の回転速度）
となる。
【００４７】
また、ピックアップロール１１及び捌きロール１２，１３が再起動してから連れ回り状態になるまでの時間をＴ２（ｓ）とすると、ピックアップロール１１及び捌きロール１２，１３が再起動後に用紙Ｐを搬送する距離Ｘβは、
Ｘβ＝Ｖｃ×Ｔ２
となる。
【００４８】
よって、インパルス音を低減させる効果を好適に発揮させる条件としては、Ｖａをレジロール１８，１９の回転速度、Ｖｃを捌きロール１２，１３の回転速度、Ｘｄ１を用紙Ｐの先端がレジロール１８，１９に挟み込まれた状態でのニップ点Ｐ１１から用紙Ｐの後端までの距離、Ｘｄ２をピックアップロール１１が再起動してから停止したときのニップ点Ｐ１１から用紙Ｐの後端までの距離、とすると下記の各式を満足することが好ましい。
Ｖａ＞Ｖｃ
Ｖｄ×Ｔ２＞Ｘθ  （Ｖｄ＝Ｖａ−Ｖｃ）
Ｘｄ１＞Ｘβ
Ｘｄ２＞０
【符号の説明】
【００４９】
１２，１３…捌きロール（第１ロール）、１５，１６…フィードロール（第２ロール）、１８，１９…レジロール（第３ロール）、７２，７３，７４…クラッチ（回転力伝達部）、７５…制御部、Ｐ…用紙、Ｒ１…搬送経路、Ｖａ…レジロールの回転速度、Ｖｂ…フィードロールの回転速度、Ｖｃ…捌きロールの回転速度。
【図１】
2014114133.tif 000003
【図２】
2014114133.tif 000004
【図３】
2014114133.tif 000005
【図４】
2014114133.tif 000006
【図５】
2014114133.tif 000007
【図６】
2014114133.tif 000008
【図７】
2014114133.tif 000009